(57)【要約】  【課題】  マイナスイオン発生部に結露が生じることがなく、また結露した水滴の滴下からマイナスイオン発生部を保護できると共に、外気にマイナスイオンを導入して円滑且つ十分に床下又は天井裏に拡散させることができる送風機を提供することを目的とする。  【解決手段】  本発明の送風機１は、家屋等の建造物の床下や天井裏の壁部Ｘに形成された換気口Ｙに挿着され外気を床下又は天井裏に送り込む送風機１であって、送風口７の下部に取り付けられたマイナスイオン発生器１３を備え、マイナスイオン発生器１３が、上面に防滴面１７と、正面にマイナスイオン送出口１８と、背面に背面側パネル部６に取り付けられる取り付け面１９と、下部に空気導入口２１と、を有する発生器筐体部と、発生器筐体部２の内部にマイナスイオン送出口１８に対向して配設されたマイナスイオン発生部２９と、を備えた構成を有している。【選択図】  図１
2005214596.tif 000002
【特許請求の範囲】
【請求項１】
家屋等の建造物の床下や天井裏の壁部に形成された換気口に挿着され外気を前記床下又は前記天井裏に送り込む送風機であって、
前記換気口に挿着される本体筐体部と、
前記本体筐体部の前面側に形成された吸引口と、
前記本体筐体部の背面側に配設された背面側パネル部と、
前記背面側パネル部に形成された送風口と、
前記本体筐体部の内部に配設されたファンと、
前記送風口の下部に取り付けられたマイナスイオン発生器と、
を備え、前記マイナスイオン発生器が、
上面に防滴面と、正面にマイナスイオン送出口と、背面に前記背面側パネル部に取り付けられる取り付け面と、下部に空気導入口と、を有する発生器筐体部と、
前記発生器筐体部の内部に前記マイナスイオン送出口に対向して配設されたマイナスイオン発生部と、
を備えていることを特徴とする送風機。
【請求項２】
前記マイナスイオン送出口が前記発生器筐体部の前記正面の上端部に形成されていることを特徴とする請求項１に記載のマイナスイオン発生器。
【請求項３】
前記防滴面が前記取り付け面に直交して形成されていることを特徴とする請求項１又は２に記載の送風機。
【請求項４】
家屋等の建造物の床下や天井裏の壁部に形成された換気口に挿着され外気を前記床下又は前記天井裏に送り込む送風機であって、
前記換気口に挿着される本体筐体部と、
前記本体筐体部の前面側に形成された吸引口と、
前記本体筐体部の背面側に配設された背面側パネル部と、
前記背面側パネル部に形成された送風口と、
前記本体筐体部の内部に配設されたファンと、
前記送風口の上部に取り付けられたマイナスイオン発生器と、
を備え、前記マイナスイオン発生器が、
上部に空気導入口と、正面にマイナスイオン送出口と、背面に前記背面側パネル部に取り付けられる取り付け面と、を有する発生器筐体部と、
前記空気導入口の上部に突設された防塵用庇部と、
前記発生器筐体部の内部に前記マイナスイオン送出口に対向して配設されたマイナスイオン発生部と、
を備えていることを特徴とする送風機。
【請求項５】
前記マイナスイオン送出口が前記発生器筐体部の前記正面の下端部に形成されていることを特徴とする請求項４に記載の送風機。
【請求項６】
前記マイナスイオン発生部が、板状の誘電体と、前記誘電体の表裏面に取り付けられた放電電極及び誘導電極と、を備え、前記放電電極が前記マイナスイオン送出口に対向して配設されていることを特徴とする請求項１乃至５の内いずれか１項に記載の送風機。
【発明の詳細な説明】
【技術分野】
【０００１】
本発明は、家屋等の建造物の床下や天井裏の壁部に形成された換気口に挿着され、外気を床下又は天井裏に送り込む送風機に関するものである。
【背景技術】
【０００２】
近年、マイナスイオンはストレスの低減や疲労回復等に効果があると言われており、着目されている。マイナスイオンを発生するためのマイナスイオン発生器としては、空気中でコロナ放電を生じさせ、酸素分子や水分子を電離させてマイナスイオンを発生させるものがあり、例えば、誘電体と、誘電体の両面に配設され高電圧が印加される放電電極と誘導電極と、を備えたもの等、種々開発されている。このようなマイナスイオン発生器は、一般的に空気清浄機やエアコン等の空気調和機等に組み込まれて使用されている。
一方、家屋等の建造物の床下や天井裏は湿気が溜まり易いためカビや害虫等が繁殖し、床下の上や天井裏の下の居住空間の環境に健康被害等の悪影響を与えることがあった。このため、床下や天井裏に外気を導入したり、床下や天井裏の空気を外部へ排出したりする送風機や換気装置が種々開発されており、このような送風機や換気装置には、マイナスイオン発生器を備えたものがある。マイナスイオンはストレスの低減や疲労回復等の人体に対する効果だけでなく、放射性物質等が原因の空気汚染の浄化や、建材等から気化して出てくるホルムアルデヒド等の揮発性有機化合物（ＶＯＣ）等による汚染の浄化、人体に有害な害虫駆除剤による汚染の浄化、タバコの煙や不快な臭いの分解消臭、除菌、カビの発生防止やカビ臭の除去、害虫の侵入防止等の効果があると言われている。
特許文献１には、マイナスイオン発生手段を備えた空気清浄装置、及びマイナスイオン発生手段を備えた換気装置が開示されている。特に、マイナスイオン発生手段を備えた換気装置は、建築基礎部に設けてある換気口に装着されるものであり、建築物の床下空間に外気を送風するものである。なお、特許文献１にはマイナスイオン発生手段の取り付け位置について記載されていないが、「換気装置を起動させると外気を吸込み、マイナスイオン発生手段によって空気にマイナスイオンが付加され換気口部よりマイナスイオン付加空気は床下空間に放出される。」との記載から、マイナスイオン発生手段が装置内部の送風路に取り付けられているものと想到される。
【０００３】
【特許文献１】特開２００３−１０７３２号公報
【発明の開示】
【発明が解決しようとする課題】
【０００４】
しかしながら、上記従来の技術では以下のような課題を有していた。
（１）特許文献１に記載されたマイナスイオン発生手段を備えた換気装置では、マイナスイオン発生手段が装置内部の送風路に取り付けられているので、湿気を含んだ外気を吸込んだ場合に、電気放電式のマイナスイオン発生手段の電極等に結露が生じ短絡することがあり安全性に欠けるという課題を有していた。
（２）マイナスイオン発生手段の換気装置への取り付け取り外しが困難で、装置設置後の後付けやメンテナンスも困難であるという課題を有していた。
（３）また、通常のコロナ放電によるマイナスイオン発生手段は、マイナスイオンと共に少量のオゾンも発生しており、マイナスイオン発生手段を換気装置内部の送風路やファンの上流等に取り付けると、少量であってもオゾンにより筐体が腐食したりファンの駆動部が劣化したりして耐久性に欠けるという課題を有していた。
【０００５】
本発明は、上記従来の課題を解決するもので、結露した水滴からマイナスイオン発生部を保護しながら、外気にマイナスイオンを導入して円滑且つ十分に床下又は天井裏に拡散させることができ、また、送風機の筐体の腐食劣化を防ぎ耐久性を向上できる送風機を提供することを目的とする。
【課題を解決するための手段】
【０００６】
上記課題を解決するために本発明の送風機は、以下の構成を有している。
本発明の請求項１に記載の送風機は、家屋等の建造物の床下や天井裏の壁部に形成された換気口に挿着され外気を前記床下又は前記天井裏に送り込む送風機であって、前記換気口に挿着される本体筐体部と、前記本体筐体部の前面側に形成された吸引口と、前記本体筐体部の背面側に配設された背面側パネル部と、前記背面側パネル部に形成された送風口と、前記本体筐体部の内部に配設されたファンと、前記送風口の下部に取り付けられたマイナスイオン発生器と、を備え、前記マイナスイオン発生器が、上面に防滴面と、正面にマイナスイオン送出口と、背面に前記背面側パネル部に取り付けられる取り付け面と、下部に空気導入口と、を有する発生器筐体部と、前記発生器筐体部の内部に前記マイナスイオン送出口に対向して配設されたマイナスイオン発生部と、を備えた構成を有している。
【０００７】
この構成により、以下のような作用を有する。
（１）マイナスイオン発生器が送風口の下部に取り付けられ、マイナスイオン発生器の発生器筐体部が、上面に防滴面と、正面にマイナスイオン送出口と、背面に取り付け面と、下部に空気導入口と、を有し、マイナスイオン発生部が発生器筐体部の内部にマイナスイオン送出口に対向して配設されているので、送風口から送り出される外気の流れによる吸引作用により、発生器筐体部内部に空気導入口からマイナスイオン送出口に抜ける空気の流れを生じさせることができ、この空気の流れにマイナスイオン発生部で発生したマイナスイオンを乗せてマイナスイオン送出口から送出することができ、送出されたマイナスイオンを送風口から送り出された外気と共に床下又は天井裏に拡散させることができる。
（２）送風口から送り出された外気の流れにマイナスイオン発生部で発生したマイナスイオンを同伴させて床下又は天井裏に拡散させているので、送風機の本体筐体部やファンの駆動部等が少量含まれるオゾン等により腐食劣化することがなく耐久性に優れる。
（３）マイナスイオン発生器が本体筐体部外部の送風口の下部に取り付けられているので、本体筐体部内部の送風路に取り付けた場合に比べ、湿気を含んだ外気により高電圧が印加されるマイナスイオン発生部に結露が生じることがなく、また、マイナスイオン発生器の取り付け取り外しが容易で送風機への後付けやメンテナンスも容易である。
（４）マイナスイオン発生器の発生器筐体部が上面に防滴面を備えているので、送風口の格子部等に結露した水滴が発生器筐体部内部へ侵入することを防ぎ、高電圧が印加されるマイナスイオン発生部を保護することができる。
【０００８】
ここで、背面側パネル部としては、送風口の下部にマイナスイオン発生器を取り付ける面を確保できるように下部側に延設された下部延設部を有する形状に形成されたものが用いられる。
また、ファンとしては、吸引口から吸引して送風口から送風できるものであればよく、シロッコファン等の遠心ファンやプロペラファン等の軸流ファン等が用いられる。
発生器筐体部は、マイナスイオン送出口と空気導入口以外の壁面はすべて閉塞されていることが好ましい。これにより、空気導入口からマイナスイオン送出口に円滑な空気の流れを形成することができ、十分にマイナスイオンを送出できる。
また、マイナスイオン発生部としては、高電圧が印加される針状電極を用いて空気中でコロナ放電を生じさせ、酸素分子や水分子を電離させマイナスイオンを発生させるものや、板状の誘電体の表裏面に配設され高電圧が印加される放電電極と誘導電極を備えたもの、いわゆる沿面放電方式のもの等が用いられる。なお、針状電極を用いた場合は短期間で針状電極が劣化し交換を必要とするため、マイナスイオン発生部としては沿面放電方式のものを用いることが耐久性の面から好ましい。また、コロナ放電によりマイナスイオンを発生させる場合、マイナスイオンと共にオゾンも発生する。このとき、印加する電圧を制御してオゾンをできるだけ発生させないようにすることが好ましい。これにより、オゾンの拡散による建造物の劣化や人体への悪影響を防ぐことができる。
また、発生器筐体部の内面は酸化防止処理を行うことが好ましい。これにより、マイナスイオン発生部で発生したオゾンにより発生器筐体部が劣化することなく耐久性を向上させることができる。酸化防止処理としては、発生器筐体部の材料として酸化防止剤を添加した合成樹脂材料を用いたり、内面に防食性を有する被膜を形成したりすることが用いられる。
【０００９】
本発明の請求項２に記載の送風機は、請求項１に記載の発明において、前記マイナスイオン送出口が前記発生器筐体部の前記正面の上端部に形成された構成を有している。
【００１０】
この構成により、請求項１の作用に加え、以下のような作用を有する。
（１）マイナスイオン送出口が発生器筐体部の側面の上端部に形成されているので、送風口から送り出される外気による吸引作用が大きく、発生器筐体部内の空気の流れが円滑になり、発生したマイナスイオンを十分に床下又は天井裏に拡散させることができる。
【００１１】
ここで、送風口の下端部からマイナスイオン送出口の上端部までの鉛直方向の長さＬとしては、０ｍｍ＜Ｌ≦１０ｍｍとするのが好ましい。すなわち、送風口の下端部とマイナスイオン送出口の上端部とは間隔を空けずに設けることが好ましい。また、１０ｍｍより大きくなるにつれ、送風口から送り出される外気による吸引作用が小さくなるので好ましくない。
【００１２】
本発明の請求項３に記載の送風機は、請求項１又は２に記載の発明において、前記防滴面が前記取り付け面に直交して形成された構成を有している。
【００１３】
この構成により、請求項１又は２の作用に加え、以下のような作用を有する。
（１）発生器筐体部の防滴面が取り付け面に直交して形成されているので、送風口から送り出される外気の流れを乱すことなく吸引作用を維持でき、且つ、結露した水滴が発生器筐体部内部へ侵入することを確実に防ぐことができる。
【００１４】
本発明の請求項４に記載の送風機は、家屋等の建造物の床下や天井裏の壁部に形成された換気口に挿着され外気を前記床下又は前記天井裏に送り込む送風機であって、前記換気口に挿着される本体筐体部と、前記本体筐体部の前面側に形成された吸引口と、前記本体筐体部の背面側に配設された背面側パネル部と、前記背面側パネル部に形成された送風口と、前記本体筐体部の内部に配設されたファンと、前記送風口の上部に取り付けられたマイナスイオン発生器と、を備え、前記マイナスイオン発生器が、上部に空気導入口と、正面にマイナスイオン送出口と、背面に前記背面側パネル部に取り付けられる取り付け面と、を有する発生器筐体部と、前記空気導入口の上部に突設された防塵用庇部と、前記発生器筐体部の内部に前記マイナスイオン送出口に対向して配設されたマイナスイオン発生部と、を備えた構成を有している。
【００１５】
この構成により、以下のような作用を有する。
（１）マイナスイオン発生器が送風口の上部に取り付けられ、マイナスイオン発生器の発生器筐体部が、上部に空気導入口、正面にマイナスイオン送出口と、背面に取り付け面と、を有し、マイナスイオン発生部が発生器筐体部の内部にマイナスイオン送出口に対向して配設されているので、送風口から送り出される外気の流れによる吸引作用により、発生器筐体部内部に空気導入口からマイナスイオン送出口に抜ける空気の流れを生じさせることができ、この空気の流れにマイナスイオン発生部で発生したマイナスイオンを乗せてマイナスイオン送出口から送出することができ、送出されたマイナスイオンを送風口から送り出された外気と共に床下又は天井裏に拡散させることができる。
（２）送風口から送り出された外気の流れにマイナスイオン発生部で発生したマイナスイオンを同伴させて床下又は天井裏に拡散させているので、送風機の本体筐体部やファンの駆動部等が少量含まれるオゾン等により腐食劣化することがなく耐久性に優れる。
（３）マイナスイオン発生器が本体筐体部外部の送風口の上部に取り付けられているので、本体筐体部内部の送風路に取り付けた場合に比べ、湿気を含んだ外気により高電圧が印加されるマイナスイオン発生部に結露が生じることがなく、また、マイナスイオン発生器の取り付け取り外しが容易で送風機への後付けやメンテナンスも容易である。
（４）マイナスイオン発生器が送風口の上部に取り付けられているので、送風口の格子部等に結露した水滴が発生器筐体部内部へ侵入する虞がなく、高電圧が印加されるマイナスイオン発生部を確実に保護することができる。
（５）空気導入口の上部に防塵用庇部が突設され、防塵用庇部により空気導入口が覆われているので、空気導入口から発生器筐体部の内部に塵や埃が侵入するのを防ぎ、高電圧が印加されるマイナスイオン発生部を保護することができる。
【００１６】
ここで、背面側パネル部としては、送風口の上部にマイナスイオン発生器を取り付ける面を確保できるように上部側に延設された上部延設部を有する形状に形成されたものが用いられる。
また、防塵用庇部に替えて、空気導入口に格子状物や網状物、フィルタ等を覆設することもできる。
【００１７】
本発明の請求項５に記載の送風機は、請求項４に記載の発明において、前記マイナスイオン送出口が前記発生器筐体部の前記正面の下端部に形成された構成を有している。
【００１８】
この構成により、請求項４の作用に加え、以下のような作用を有する。
（１）マイナスイオン送出口が発生器筐体部の正面の下端部に形成されているので、送風口から送り出される外気による吸引作用が大きく、発生器筐体部内の空気の流れが円滑になり、発生したマイナスイオンを十分に床下又は天井裏に拡散させることができる。
【００１９】
ここで、送風口の上端部からマイナスイオン送出口の下端部までの鉛直方向の長さｌとしては、０ｍｍ＜ｌ≦１０ｍｍとするのが好ましい。すなわち、送風口の上端部とマイナスイオン送出口の下端部とは間隔を空けずに設けることが好ましい。また、１０ｍｍより大きくなるにつれ、送風口から送り出される外気による吸引作用が小さくなるので好ましくない。
【００２０】
本発明の請求項６に記載の送風機は、請求項１乃至５の内いずれか１項に記載の発明において、前記マイナスイオン発生部が、板状の誘電体と、前記誘電体の表裏に取り付けられた放電電極及び誘導電極と、を備え、前記放電電極が前記マイナスイオン送出口に対向して配設された構成を有している。
【００２１】
この構成により、請求項１乃至５の内いずれか１項の作用に加え、以下のような作用を有する。
（１）マイナスイオン発生部の放電電極がマイナスイオン送出口に対向して配設されているので、放電電極周囲に発生したマイナスイオンを十分に発生器筐体部内部の空気の流れに乗せることができ、円滑にマイナスイオン送出口から送出することができる。
【００２２】
ここで、誘電体としては板状のマイカやセラミックス等が用いられる。
【発明の効果】
【００２３】
以上説明したように本発明の送風機によれば、以下のような有利な効果が得られる。
請求項１に記載の発明によれば、
（１）マイナスイオン発生器が送風口の下部に取り付けられ、マイナスイオン発生器の発生器筐体部が、上面に防滴面と、正面にマイナスイオン送出口と、背面に取り付け面と、下部に空気導入口と、を有し、マイナスイオン発生部が発生器筐体部の内部にマイナスイオン送出口に対向して配設されているので、送風口から送り出される外気の流れによる吸引作用により、発生器筐体部内部に空気導入口からマイナスイオン送出口に抜ける空気の流れを生じさせることができ、この空気の流れにマイナスイオン発生部で発生したマイナスイオンを乗せてマイナスイオン送出口から送出することができ、送出されたマイナスイオンを送風口から送り出された外気と共に床下又は天井裏に拡散させることができる送風機を提供することができる。
（２）送風口から送り出された外気の流れにマイナスイオン発生部で発生したマイナスイオンを同伴させて床下又は天井裏に拡散させているので、送風機の本体筐体部やファンの駆動部等が少量含まれるオゾン等により腐食劣化することがなく耐久性に優れた送風機を提供することができる。
（３）マイナスイオン発生器が本体筐体部外部の送風口の下部に取り付けられているので、本体筐体部内部の送風路に取り付けた場合に比べ、湿気を含んだ外気により高電圧が印加されるマイナスイオン発生部に結露が生じることがなく安全性に優れ、また、マイナスイオン発生器の取り付け取り外しが容易で送風機への後付けやメンテナンスも容易である作業性に優れた送風機を提供することができる。
（４）マイナスイオン発生器の発生器筐体部が上面に防滴面を備えているので、送風口の格子部等に結露した水滴が発生器筐体部内部へ侵入することを防ぎ、高電圧が印加されるマイナスイオン発生部を保護することができる安全性に優れた送風機を提供することができる。
【００２４】
請求項２に記載の発明によれば、請求項１の効果に加え、
（１）マイナスイオン送出口が発生器筐体部の側面の上端部に形成されているので、送風口から送り出される外気による吸引作用が大きく、発生器筐体部内の空気の流れが円滑になり、発生したマイナスイオンを十分に床下又は天井裏に拡散させることができる送風機を提供することができる。
【００２５】
請求項３に記載の発明によれば、請求項１又は２の効果に加え、
（１）防滴面が取り付け面に直交して形成されているので、送風口から送り出される外気の流れを乱すことなく吸引作用を維持できる送風機を提供することができる。
（２）結露した水滴が発生器筐体部内部へ侵入することを確実に防ぐことができる安全性に優れた送風機を提供することができる。
【００２６】
請求項４に記載の発明によれば、
（１）マイナスイオン発生器が送風口の上部に取り付けられ、マイナスイオン発生器の発生器筐体部が、上部に空気導入口、正面にマイナスイオン送出口と、背面に取り付け面と、を有し、マイナスイオン発生部が発生器筐体部の内部にマイナスイオン送出口に対向して配設されているので、送風口から送り出される外気の流れによる吸引作用により、発生器筐体部内部に空気導入口からマイナスイオン送出口に抜ける空気の流れを生じさせることができ、この空気の流れにマイナスイオン発生部で発生したマイナスイオンを乗せてマイナスイオン送出口から送出することができ、送出されたマイナスイオンを送風口から送り出された外気と共に床下又は天井裏に拡散させることができる送風機を提供することができる。
（２）送風口から送り出された外気の流れにマイナスイオン発生部で発生したマイナスイオンを同伴させて床下又は天井裏に拡散させているので、送風機の本体筐体部やファンの駆動部等が少量含まれるオゾン等により腐食劣化することがなく耐久性に優れた送風機を提供することができる。
（３）マイナスイオン発生器が本体筐体部外部の送風口の上部に取り付けられているので、本体筐体部内部の送風路に取り付けた場合に比べ、湿気を含んだ外気により高電圧が印加されるマイナスイオン発生部に結露が生じることがなく安全性に優れ、また、マイナスイオン発生器の取り付け取り外しが容易で送風機への後付けやメンテナンスも容易である取り付け作業性に優れた送風機を提供することができる。
（４）マイナスイオン発生器が送風口の上部に取り付けられているので、送風口の格子部等に結露した水滴が発生器筐体部内部へ侵入する虞がなく、高電圧が印加されるマイナスイオン発生部を確実に保護することができる安全性に優れた送風機を提供することができる。
（５）空気導入口の上部に防塵用庇部が突設されているので、空気導入口から発生器筐体部の内部に塵や埃が侵入するのを防ぎ、高電圧が印加されるマイナスイオン発生部を保護することができる安全性に優れた送風機を提供することができる。
【００２７】
請求項５に記載の発明によれば、請求項４の効果に加え、
（１）マイナスイオン送出口が発生器筐体部の正面の下端部に形成されているので、送風口から送り出される外気による吸引作用が大きく、発生器筐体部内の空気の流れが円滑になり、発生したマイナスイオンを十分に床下又は天井裏に拡散させることができる送風機を提供することができる。
【００２８】
請求項６に記載の発明によれば、請求項１乃至５の内いずれか１項の効果に加え、
（１）マイナスイオン発生部の放電電極がマイナスイオン送出口に対向して配設されているので、放電電極周囲に発生したマイナスイオンを十分に発生器筐体部内部の空気の流れに乗せることができ、円滑にマイナスイオン送出口から送出することができる送風機を提供することができる。
【発明を実施するための最良の形態】
【００２９】
以下、本発明の一実施の形態について、図１乃至図３を用いて説明する。
（実施の形態１）
図１（ａ）は建造物の床下又は天井裏の壁部に形成された換気口に配設された状態を示す本実施の形態１における送風機の一部透視要部側面図であり、図１（ｂ）はマイナスイオン発生器の要部側面断面図である。
図１（ａ）において、１は本実施の形態１における送風機、２は家屋等の建造物の床下又は天井裏の壁部Ｘに形成された矩形の換気口Ｙに挿着された箱型の本体筐体部、３は本体筐体部２の前面側に配設され換気口Ｙに覆設された前面側パネル部、４は前面側パネル部３を壁部Ｘに螺着固定する固定ネジ、５は前面側パネル部３の中央部より下部側に開口形成された吸引口、６は本体筐体部２の背面側に配設された背面側パネル部、７は背面側パネル部６に中央部から上部側に開口形成された送風口、８は本体筐体部２の内部に形成され吸引口５から送風口７に連通した送風路、９は送風路８の内部に送風方向に直交して配設されたシロッコファン（ファン）、１０はシロッコファン９のファン軸、１１は送風路８の天面に配設され吸引口５の上端部からシロッコファン９の上部に沿って湾曲すると共に送風口７の上端部近傍まで延設された送風路天面部、１２は本体筐体部２の底面であり送風口７側が送風口７に向かって上方へ傾斜した送風路底面部、１３は背面側パネル部６の送風口７の下部に取り付けられたマイナスイオン発生器、１４はマイナスイオン発生器１３を背面側パネル部６に螺着固定する取り付けネジである。
【００３０】
図１（ｂ）において、１６は発生器筐体部、１７は発生器筐体部１６の上面に形成された防滴面、１８は発生器筐体部１６の正面の略中央部から上端部に渡って開口形成されたマイナスイオン送出口、１９は発生器筐体部１６の背面であり背面側パネル部６に当接した取り付け面、２０は取り付け面１９の上下部に一体形成され取り付けネジ１４が螺着されたネジ孔を有する取り付け部、２１は発生器筐体部１６の下部の傾斜部に開口形成された空気導入口、２２はマイナスイオン送出口１８の下部の発生器筐体部１６の内壁に立設された支持固定部、２３は支持固定部２２の先端部に支持固定されマイナスイオン送出口１８に対向して発生器筐体部１６の内部に配設された板状のマイカ等からなる誘電体、２４は誘電体２３を支持固定部２２に螺着固定する固定ネジ、２５は誘電体２３のマイナスイオン送出口１８側の面に沿設された放電電極、２６は誘電体２３の放電電極２５の反対側の面に沿設された誘導電極、２７は放電電極２５及び誘導電極２６の端子、２８は放電電極２５及び誘導電極２６を図示を省略した電源部に接続する配線、２９は誘電体２３，放電電極２５，誘導電極２６，端子２７，配線２８及び図示しない電源部からなるマイナスイオン発生部である。
ここで、吸引口５及び送風口７は送風路８にゴミや小動物等が侵入しないように、格子状に形成されるか、或いは網状物を覆設してもよい。背面側パネル部６は送風口７の下部側にマイナスイオン発生器１３が取り付けられる面を確保できるように下部側に延設された形状に形成されている。また、シロッコファン９はその側部等に配設された図示しない駆動モータにより回転駆動される。
また、発生器筐体部１６はマイナスイオン送出口１８と空気導入口２１以外の壁面はすべて閉塞されている。また、防滴面１７は取り付け面１９に直交するように形成され、送風口７の下端部近傍に背面側パネル部６に直交して取り付けられている。
また、放電電極２５に高電圧を印加する電源部としては、交流電圧を発生する交流電圧発生部と、負の直流バイアス電圧を発生する直流電圧発生部と、を備えたものが用いられる。なお、誘導電極２６は配線２８で大地に接続された接地極である。
【００３１】
以上のように構成された本実施の形態１における送風機１について、以下その動作を図を用いて説明する。
図１（ａ）に示すように、まず、家屋等の壁部Ｘに形成された換気口Ｙに本体筐体部２を挿入し前面側パネル部３を壁部Ｘの屋外側の面に当接させ固定ネジ４で固定する。図示しない駆動モータを駆動しシロッコファン９を回転させると、吸引口５から送風路８に外気が吸引され、吸引された外気は送風路８を通って送風口７から床下や天井裏に送り出される。
図１（ｂ）に示すように、送風口７から送り出された外気の流れにより、発生器筐体部１６内部の空気はマイナスイオン送出口１８から外部へ吸引される。これにより、発生器筐体部１６内部に空気導入口２１からマイナスイオン送出口１８に抜ける空気の流れが生じ、空気は空気導入口２１から導入され、マイナスイオン発生部２９の側部を通過し、マイナスイオン送出口１８から送り出される。
マイナスイオン発生器１３のマイナスイオン発生部２９においては、電源部から放電電極２５に高電圧の交流電圧が印加されると、放電電極２５と誘電体２３間でコロナ放電が発生し、放電電極２５周囲の空気中の酸素分子や水分子等が電離して、マイナスイオンとプラスイオンが発生する。プラスイオンは負の直流バイアス電圧が印加された放電電極２５に吸収されるため、マイナスイオンのみが、発生器筐体部１６内部の空気の流れに乗ってマイナスイオン送出口１８から送出され、送風口７から送り出された外気と共に床下又は天井裏に拡散される。
ここで、図１（ｂ）に示すように、送風口７の下端部からマイナスイオン送出口１８の上端部までの鉛直方向の長さＬは、０ｍｍ＜Ｌ≦１０ｍｍに設定されている。これにより、送風口から送り出される外気による吸引作用を大きくできる。
【００３２】
また、吸引口５から吸引される外気が湿気を含んでいる場合、送風路８の内壁や格子状等に形成された送風口７等には結露が発生し易い。送風口７の格子部等に結露した水滴は、送風口７の下部に取り付けられたマイナスイオン発生器１３の防滴面１７に滴り落ちるため、発生器筐体部１６内部への侵入を防ぐことができ、高電圧が印加されるマイナスイオン発生部２９を保護できる。
【００３３】
なお、発生器筐体部１６内部への水滴の侵入を確実に防ぐために、防滴用庇部３０を設けることもできる。防滴用庇部について図２を用いて説明する。
図２は防滴用庇部を備えたマイナスイオン発生器の要部側面断面図である。
図２に示すように、マイナスイオン送出口１８の上部に突設され下方へ傾斜した防滴用庇部３０を設けることもできる。これにより、防滴面１７に滴り落ちた水滴がさらに防滴面１７から滴り落ちても、防滴用庇部３０を伝って滴り落ちるのでマイナスイオン送出口１８から発生器筐体部１６の内部に侵入することなくマイナスイオン発生部２９を確実に保護できる。
【００３４】
以上のように本実施の形態１における送風機１は構成されているので、以下のような作用を有する。
（１）マイナスイオン発生器１３が送風口７の下部に取り付けられているので、マイナスイオン送出口１８から送出されたマイナスイオンを送風口７から送り出された外気の同伴流にのせて床下又は天井裏に拡散させることができる。
（２）マイナスイオン発生器１３の発生器筐体部１６が、上面に防滴面１７と、正面にマイナスイオン送出口１８と、背面に取り付け面１９と、下部に空気導入口２１と、を有し、マイナスイオン発生部２９が発生器筐体部１６の内部にマイナスイオン送出口１８に対向して配設されているので、送風口７から送り出される外気の流れによる吸引作用により、発生器筐体部１６内部に空気導入口２１からマイナスイオン送出口１８に抜ける空気の流れを生じさせることができ、この空気の流れにマイナスイオン発生部２９で発生したマイナスイオンを乗せてマイナスイオン送出口１８から送出することができる。
（３）発生器筐体部１６は、マイナスイオン送出口１８と空気導入口２１以外の壁面はすべて閉塞されているので、発生器筐体部１６内部に空気導入口か２１らマイナスイオン送出口１８に円滑な空気の流れを形成することができ、十分にマイナスイオンを送出できる。
（４）マイナスイオン送出口１８が発生器筐体部１６の側面の上端部に形成されているので、送風口７から送り出される外気による吸引作用が大きく、発生器筐体部１６内の空気の流れが円滑になり、発生したマイナスイオンを十分に床下又は天井裏に拡散させることができる。
（５）マイナスイオン発生器１３の発生器筐体部１６が上面に防滴面１７を備えているので、送風口７の格子部等に結露した水滴が発生器筐体部１６内部へ侵入することを防ぎ、高電圧が印加されるマイナスイオン発生部２９を保護することができる。また、防滴面１７が背面側パネル部６に直交しているので、送風口７から送り出される外気の流れを乱すことなく吸引作用を維持でき、且つ、結露した水滴が発生器筐体部１６内部へ侵入することを確実に防ぐことができる。
（６）マイナスイオン発生部２９の放電電極２５が誘電体２３のマイナスイオン送出口１８側の面に取り付けられているので、放電電極２５周囲に発生したマイナスイオンを十分に発生器筐体部１６内部の空気の流れに乗せることができ、円滑にマイナスイオン送出口１８から送出することができる。
【００３５】
（実施の形態２）
図３（ａ）は建造物の床下又は天井裏の壁部に形成された換気口に配設された状態を示す本実施の形態２における送風機の一部透視要部側面図であり、図３（ｂ）はマイナスイオン発生器の要部側面断面図である。
図３において、３１は本実施の形態２における送風機、３２は背面側パネル部、３３は送風口７の上部の背面側パネル部３２に取り付けられたマイナスイオン発生器、３４は発生器筐体部、３５は発生器筐体部３４の上部の傾斜部に開口形成された空気導入口、３６は空気導入口３５を覆うようにその上部に突設された防塵用庇部、３７は発生器筐体部３４の正面の略中央部から下端部に渡って開口形成されたマイナスイオン送出口、３８は発生器筐体部３４の背面であり背面側パネル部３２に当接した取り付け面、３９はマイナスイオン送出口３７の上部の発生器筐体部１６の内壁に立設された支持固定部であり、先端部に誘電体２３がマイナスイオン送出口３７に対向するように支持固定されている。なお、実施の形態１において説明したものを同一の符号を付けて説明を省略する。
ここで、背面側パネル部３２は送風口７の上部側にマイナスイオン発生器３３が取り付けられる面を確保できるように上部側に延設された形状に形成されている。
また、防塵用庇部３６は発生器筐体部３４の上部の傾斜部から略水平方向に突設され、空気導入口３５に十分に空気が導入されるように空気導入口３５に対して所定間隔を有して形成されている。
また、発生器筐体部３４の下面は取り付け面３８に直交する平滑な整流面としてもよい。これにより、送風口７から送り出される外気の流れを乱すことなく吸引作用を維持できる。
【００３６】
以上のように構成された本実施の形態２における送風機３１について、以下その動作を図を用いて説明する。なお、シロッコファン９により外気を吸引し送風する動作、及びマイナスイオン発生部２９の動作については、実施の形態１で説明したものと同様であるので説明を省略する。
図３（ｂ）に示すように、送風口７から送り出された外気の流れにより、発生器筐体部３４内部の空気はマイナスイオン送出口３７から外部へ吸引される。これにより、発生器筐体部３４内部に空気導入口３５からマイナスイオン送出口３７に抜ける空気の流れが生じ、空気は空気導入口３５から導入され、マイナスイオン発生部２９の側部を通過し、マイナスイオン送出口３７から送り出される。マイナスイオン発生部２９の放電電極２５の周囲に発生したマイナスイオンは発生器筐体部３４内部の空気の流れに乗ってマイナスイオン送出口３７から送出され、送風口７から送り出された外気と共に床下又は天井裏に拡散される。
【００３７】
以上のように本実施の形態２における送風機３１は構成されているので、以下のような作用を有する。
（１）マイナスイオン発生器３３が送風口７の上部に取り付けられているので、マイナスイオン送出口３７から送出されたマイナスイオンを送風口７から送り出された外気の同伴流にのせて床下又は天井裏に拡散させることができる。
（２）マイナスイオン発生器３３が送風口７の上部に取り付けられているので、送風口７の格子部等に結露した水滴が発生器筐体部３４内部へ侵入する虞がなく、高電圧が印加されるマイナスイオン発生部２９を確実に保護することができる。
（３）マイナスイオン発生器３３の発生器筐体部１６が、上部に空気導入口３５、正面にマイナスイオン送出口３７と、背面に取り付け面３８と、を有し、マイナスイオン発生部２９が発生器筐体部３４の内部にマイナスイオン送出口３７に対向して配設されているので、送風口３７から送り出される外気の流れによる吸引作用により、発生器筐体部３４内部に空気導入口３５からマイナスイオン送出口３７に抜ける空気の流れを生じさせることができ、この空気の流れにマイナスイオン発生部２９で発生したマイナスイオンを乗せてマイナスイオン送出口３７から送出することができる。
（４）マイナスイオン送出口３７が発生器筐体部３４の側面の下端部に形成されているので、送風口７から送り出される外気による吸引作用が大きく、発生器筐体部３４内の空気の流れが円滑になり、発生したマイナスイオンを十分に床下又は天井裏に拡散させることができる。
（５）空気導入口３５の上部には防塵用庇部３６が所定間隔を有して突設されているので、空気導入口３５から発生器筐体部３４の内部に塵や埃が侵入するのを防ぎ、高電圧が印加されるマイナスイオン発生部２９を保護することができる。
（６）マイナスイオン発生部２９の放電電極２５が誘電体２３のマイナスイオン送出口３７側の面に取り付けられているので、放電電極２５周囲に発生したマイナスイオンを十分に発生器筐体部３４内部の空気の流れに乗せることができ、円滑にマイナスイオン送出口３７から送出することができる。
【産業上の利用可能性】
【００３８】
以上説明したように、本発明は、家屋等の建造物の床下や天井裏の壁部に形成された換気口に挿着され、外気を床下又は天井裏に送り込む送風機に関し、特に本発明によれば、結露した水滴からマイナスイオン発生部を保護しながら、外気にマイナスイオンを導入して円滑且つ十分に床下又は天井裏に拡散させることができ、また、送風機の筐体の腐食劣化を防ぎ耐久性を向上できる送風機を提供することができる。
【図面の簡単な説明】
【００３９】
【図１】（ａ）建造物の床下又は天井裏の壁部に形成された換気口に配設された状態を示す実施の形態１における送風機の一部透視要部側面図  （ｂ）マイナスイオン発生器の要部側面断面図
【図２】防滴用庇部を備えたマイナスイオン発生器の要部側面断面図
【図３】（ａ）建造物の床下又は天井裏の壁部に形成された換気口に配設された状態を示す実施の形態２における送風機の一部透視要部側面図  （ｂ）マイナスイオン発生器の要部側面断面図
【符号の説明】
【００４０】
１  送風機
２  本体筐体部
３  前面側パネル部
４  固定ネジ
５  吸引口
６  背面側パネル部
７  送風口
８  送風路
９  シロッコファン（ファン）
１０  ファン軸
１１  送風路天面部
１２  送風路底面部
１３  マイナスイオン発生器
１４  取り付けネジ
１６  発生器筐体部
１７  防滴面
１８  マイナスイオン送出口
１９  取り付け面
２０  取り付け部
２１  空気導入口
２２  支持固定部
２３  誘電体
２４  固定ネジ
２５  放電電極
２６  誘導電極
２７  端子
２８  配線
２９  マイナスイオン発生部
３０  防滴用庇部
３１  送風機
３２  背面側パネル部
３３  マイナスイオン発生器
３４  発生器筐体部
３５  空気導入口
３６  防塵用庇部
３７  マイナスイオン送出口
３８  取り付け面
３９  支持固定部
Ｘ  壁部
Ｙ  換気口
【図１】
2005214596.tif 000003
【図２】
2005214596.tif 000004
【図３】
2005214596.tif 000005